【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
画像処理装置と印刷装置とを含む印刷システムにおいて、
前記画像処理装置は、
情報処理装置から送信された、画像情報とユーザ認証情報とを含む印刷ジョブを受信する受信手段と、
前記受信手段により受信した印刷ジョブに含まれる画像情報に基づいて印刷画像データを生成する生成手段と、
前記生成手段により生成された印刷画像データと、前記受信手段により受信した印刷ジョブに含まれるユーザ認証情報と、を含む印刷ジョブデータを送信する送信手段と、を有し、
前記印刷装置は、
前記画像処理装置から送信された印刷ジョブデータに含まれるユーザ認証情報に基づいて認証を行う認証手段と、
前記認証手段による認証が成功するのに従って、前記印刷ジョブデータに含まれる印刷画像データに基づいて印刷処理を行う印刷手段と、を有し、
前記画像処理装置は、
受信した印刷ジョブに基づく再印刷処理を実行する際には、受信した印刷ジョブに含まれるユーザ認証情報を使用しないように制御する制御手段をさらに有することを特徴とする印刷システム。
【請求項２】
印刷装置と通信可能な画像処理装置であって、
情報処理装置から送信された、画像情報とユーザ認証情報とを含む印刷ジョブを受信する受信手段と、
前記受信手段により受信した印刷ジョブに含まれる画像情報に基づいて印刷画像データを生成する生成手段と、
前記生成手段により生成された印刷画像データと、前記受信手段により受信した印刷ジョブに含まれるユーザ認証情報と、を含む印刷ジョブデータを前記印刷装置に送信する送信手段と、
受信した印刷ジョブに基づく再印刷処理を実行する際には、受信した印刷ジョブに含まれるユーザ認証情報を使用しないように制御する制御手段と、
を有することを特徴とする画像処理装置。
【請求項３】
前記制御手段は、前記印刷装置による印刷処理の完了に従って、前記ユーザ認証情報が削除された前記印刷ジョブを、印刷済みジョブとして、再印刷処理のためにメモリに記憶することを特徴とする請求項２記載の画像処理装置。
【請求項４】
前記印刷ジョブに含まれる前記ユーザ認証情報が削除された後に、新たなユーザ認証情報を前記印刷ジョブに設定する設定手段を有することを特徴とする請求項３記載の画像処理装置。
【請求項５】
前記新たなユーザ認証情報は、
前記印刷ジョブに含まれる前記ユーザ認証情報が削除された後に、前記印刷ジョブに対する再印刷処理の実行を指示するユーザーにより入力された情報と、
前記印刷ジョブに対する再印刷処理の実行を指示する際に、前記印刷ジョブの再印刷処理の実行を指示するユーザーにより入力されたログイン情報と、
予め記憶されている情報と、のうちの何れか１つであることを特徴とする請求項４記載の画像処理装置。
【請求項６】
前記印刷ジョブは、前記ユーザ認証情報を含む印刷属性情報を含み、
前記制御手段は、前記ユーザ認証情報を除く印刷属性情報を含んだ印刷ジョブを、印刷済みジョブとして前記メモリに記憶することを特徴とする請求項３記載の画像処理装置。
【請求項７】
前記ユーザ認証情報を除く印刷属性情報は、ページ設定、給紙設定、仕上げ設定、の少なくとも一つを含むことを特徴とする請求項６記載の画像処理装置。
【請求項８】
前記制御手段は、前記ユーザ認証情報を残す設定が前記印刷ジョブに含まれている場合には、印刷処理の完了に従って、前記印刷ジョブに含まれるユーザ認証情報を削除せずに、前記印刷ジョブを、印刷済みジョブとして前記メモリに記憶することを特徴とする請求項３記載の画像処理装置。
【請求項９】
前記制御手段は、前記ユーザ認証情報が含まれる前記印刷ジョブを印刷済みジョブとしてメモリに記憶し、印刷済みジョブとして前記メモリに記憶された前記印刷ジョブの再印刷処理が指示されたことに従って、前記印刷ジョブに含まれる前記ユーザ認証情報を削除することを特徴とする請求項３記載の画像処理装置。
【請求項１０】
画像処理装置と印刷装置とを含む印刷システムにおける印刷制御方法であって、
前記画像処理装置は、
情報処理装置から送信された、画像情報とユーザ認証情報とを含む印刷ジョブを受信する受信工程と、
受信した印刷ジョブに含まれる画像情報に基づいて印刷画像データを生成する生成工程と、
生成された印刷画像データと、受信した印刷ジョブに含まれるユーザ認証情報と、を含む印刷ジョブデータを送信する送信工程と、を実行し、
前記印刷装置は、
前記画像処理装置から送信された印刷ジョブデータに含まれるユーザ認証情報に基づいて認証を行う認証工程と、
認証が成功するのに従って、前記印刷ジョブデータに含まれる印刷画像データに基づいて印刷処理を行う印刷工程と、を実行し、
前記画像処理装置は、
受信した印刷ジョブに基づく再印刷処理を実行する際には、受信した印刷ジョブに含まれるユーザ認証情報を使用しないように制御することを特徴とする印刷制御方法。
【請求項１１】
印刷装置と通信可能な画像処理装置の制御方法であって、
情報処理装置から送信された、画像情報とユーザ認証情報とを含む印刷ジョブを受信する受信工程と、
受信した印刷ジョブに含まれる画像情報に基づいて印刷画像データを生成する生成工程と、
生成された印刷画像データと、受信した印刷ジョブに含まれるユーザ認証情報と、を含む印刷ジョブデータを前記印刷装置に送信する送信工程と、
受信した印刷ジョブに基づく再印刷処理を実行する際には、受信した印刷ジョブに含まれるユーザ認証情報を使用しないように制御する制御工程と、
を有することを特徴とする制御方法。
【請求項１２】
コンピュータを、請求項２から９のいずれか１項に記載の画像処理装置として動作させるためのコンピュータプログラム。
【手続補正２】
【補正対象書類名】明細書
【補正対象項目名】発明の名称
【補正方法】変更
【補正の内容】
【発明の名称】印刷システム、画像処理装置、印刷制御方法、およびコンピュータプログラム
【手続補正３】
【補正対象書類名】明細書
【補正対象項目名】０００１
【補正方法】変更
【補正の内容】
【０００１】
本発明は、印刷システム、画像処理装置、印刷制御方法、およびコンピュータプログラムに関し、特に、印刷ジョブに対する処理を実行するために用いて好適なものである。
【手続補正４】
【補正対象書類名】明細書
【補正対象項目名】０００９
【補正方法】変更
【補正の内容】
【０００９】
本発明の印刷システムは、画像処理装置と印刷装置とを含む印刷システムにおいて、前記画像処理装置は、情報処理装置から送信された、画像情報とユーザ認証情報とを含む印刷ジョブを受信する受信手段と、前記受信手段により受信した印刷ジョブに含まれる画像情報に基づいて印刷画像データを生成する生成手段と、前記生成手段により生成された印刷画像データと、前記受信手段により受信した印刷ジョブに含まれるユーザ認証情報と、を含む印刷ジョブデータを送信する送信手段と、を有し、前記印刷装置は、前記画像処理装置から送信された印刷ジョブデータに含まれるユーザ認証情報に基づいて認証を行う認証手段と、前記認証手段による認証が成功するのに従って、前記印刷ジョブデータに含まれる印刷画像データに基づいて印刷処理を行う印刷手段と、を有し、前記画像処理装置は、受信した印刷ジョブに基づく再印刷処理を実行する際には、受信した印刷ジョブに含まれるユーザ認証情報を使用しないように制御する制御手段をさらに有することを特徴とする。
本発明の画像処理装置は、印刷装置と通信可能な画像処理装置であって、情報処理装置から送信された、画像情報とユーザ認証情報とを含む印刷ジョブを受信する受信手段と、前記受信手段により受信した印刷ジョブに含まれる画像情報に基づいて印刷画像データを生成する生成手段と、前記生成手段により生成された印刷画像データと、前記受信手段により受信した印刷ジョブに含まれるユーザ認証情報と、を含む印刷ジョブデータを前記印刷装置に送信する送信手段と、受信した印刷ジョブに基づく再印刷処理を実行する際には、受信した印刷ジョブに含まれるユーザ認証情報を使用しないように制御する制御手段と、を有することを特徴とする。